(57)【要約】　　　（修正有）【課題】ケーブル座体内部のケーブルが完全に捻曲されない状態で、ケーブルのコネクタ端子に対して延びる方向を調整することのできる回動構造を備え、更に、一定方向に位置決め固定することができる回動式ネットワークケーブルコネクタの提供。【解決手段】前座体１と、コネクタ部２、ケーブル座体３、ケーブル４から成り、前座体とコネクタ部は圧接により一体化され、前座体前端に嵌合爪１１及び配線溝１２を設け、コネクタ部内部にT字形空間２１を形成し、T字形空間の後方に設けた交合部２２に、一対の軸孔を開設すると共に、ケーブルの分岐線がケーブル座体の中空軸部３１を貫通し、コネクタ部のT字形空間内に進入し、前座体に接続され、前座体の配線溝に接続機能を形成し、ケーブル座体は、コネクタ部の交合部に対応する凹型接合部３５を備え、凹型接合部両内側に設けた中空軸部をコネクタ部の軸孔内に枢設し、ケーブル座体に回動機能を形成する。【選択図】　　 図５
0003100578.tif 000002
【実用新案登録請求の範囲】
【請求項１】
前座体、コネクタ部、ケーブル座体及びケーブルを備え、そのうち、前記前座体とコネクタ部は圧接により一体化され、該前座体は前端に嵌合爪及び配線溝を備え、さらに、前記コネクタ部内部にT字形空間を形成し、且つ、該T字形空間後方に設けた交合部の両側に一対の左右対称な軸孔を開設し、前記ケーブル座体の中空軸部が該軸孔に枢設され、前記ケーブル座体は、内部に分岐式のケーブル槽を備え、前記ケーブルの端部が該ケーブル座体の後方端から挿入され、該ケーブル座体内部に設けたケーブル固定部により、該ケーブルが固定されると共に、前記コネクタ部の交合部に対応して該ケーブル座体に設けられた凹型接合部の両内側に、それぞれ対応する中空軸部を突起させて設け、該柱空軸部を前記コネクタ部の軸孔に枢設し、上下各90度、計180度の範囲内でケーブル座体をコネクタ部に対し回動させることによりケーブルの方向を調整する回動式ネットワークケーブルコネクタ。　
【請求項２】
前記コネクタ部とケーブル座体の両者間に、複数の位置決め突起と、該位置決め突起に対応する位置決め穴を設け、回動後のケーブル座体を、コネクタ部に対し位置決め固定し、該コネクタ部とケーブル座体を一定方向に維持する請求項１に記載の回動式ネットワークケーブルコネクタ。
【考案の詳細な説明】
【技術分野】
【０００１】
　本考案は回動式ネットワークケーブルコネクタに関し、特に、コネクタ部を０〜180度の範囲内で自在に回動させ、ケーブルのコネクタ部に対して延びる方向を調整することができ、また、従来のコネクタ内部の交合箇所に不当な外力が加えられたり、引っ張られたりすることにより発生する、コネクタの抜け落ちや断線、コネクタ座体の脱落または破損、変形等の問題を効果的に回避することのできる、回動式ネットワークコネクタに関する。
【背景技術】
【０００２】
　現在、情報通信またはネットワーク関連のデジタル機器には、外接の通信信号伝送インターフェース接続部がほとんどの製品に設けられており、これにより効果的に信号によるデータ伝送を行ない、コンピュータまたはデジタル機器内部のデータを読み込みや書き込み、データ保存等に用いている。この機能を使用するためには、外接のネットワークケーブルコネクタが欠かせない。
【０００３】
　現在一般的なネットワークケーブルコネクタは、図１に示すように、端子部が固定式のコネクタA１であり、その端部に嵌合爪A２を備え、コンピュータまたはデジタル機器の接続インターフェースに挿入して使用される。後端は単純な接続ケーブルとなっており、回動式の方向調整機能を備えておらず、このため、これまで以下の問題及び欠点があった。
1.　コンピュータやデジタル機器の大幅な進歩により、接続されるコネクタも複雑化・多元化し、複数組のコネクタを配線する際、挿入方向の制限を受け、往々にしてコネクタとケーブルが乱雑に設置された状態となり、方向変更を行うには、ケーブルにひねりや湾曲を加えることでのみ、方向を変えるしかなく、劣悪な配線環境においては、ひねりや湾曲による方向変更も困難となり、接続不能の状況が発生する。
2.　前述の欠点に伴い、さらに、ケーブルにひねりや湾曲が加えられた状態が長期間続くと、ケーブルが回復不能に変形してしまい、また、ケーブルの老朽化に伴い、必然的にコネクタ端子とケーブル内部の交合箇所に発見が困難な断線が発生し、この問題は検知が困難であるため、メンテナンス上の問題となる。
3.　従来の通信ネットワークケーブルコネクタは、ケーブルの方向調整機能を備えていないため、ケーブルに不当な外力が加えられたり、引っ張られたりすると、その力が直接コネクタ端子及びコネクタ座体にかかり、回動特性によって様々な方向から受ける力を逃がすことができず、従来の通信ネットワークケーブルコネクタは、脱落や嵌合爪の破損または変形が発生しやすく、さらにはコンピュータやデジタル機器の接続インターフェースの破損を招くこともあり、大きな損害の発生につながりやすい。
【考案の開示】
【考案が解決しようとする課題】
【０００４】
　前記の問題に鑑みて、本考案は、ケーブルのコネクタ部に対して延びる方向を調整する回動構造を備え、コネクタ部を動かさずに、枢接されたケーブル座体を回動させることで該ケーブル座体がケーブルを連動し、内部のケーブル分岐線箇所が完全に捻曲されない状態において、ケーブルの方向を変えることができ、さらに、一定の方向に位置決め固定することができる、
回動式ネットワークケーブルコネクタの提供を目的とするものである。　　　
【課題を解決するための手段】
【０００５】
　本考案は、主に、前座体と、コネクタ部、ケーブル座体、ケーブルを組み立てて成り、そのうち、前座体とコネクタ部は、圧接により一体化され、従来のネットワークケーブルコネクタに相当する構造を呈し、且つ、該前座体前端に嵌合爪及び配線溝を設け、該コネクタ部内部にT字形空間を形成し、該T字形空間の後方に設けた交合部に、一対の左右対称な軸孔を開設し、さらに、該ケーブルの分岐線が前記ケーブル座体に設けた中空軸部を貫通し、前記コネクタ部内部のT字形空間内に進入した後、前記前座体に分線接続され、該前座体の配線溝に接続機能を形成し、前記ケーブル座体は、内部に分岐式のケーブル槽を備え、前記ケーブルは、該ケーブル座体の後方端から進入後、ケーブル固定部により固定され、該ケーブル槽に設置され、さらに、該ケーブル座体は、前記コネクタ部の交合部に対応する凹型接合部を備え、該凹型接合部両内側に設けられた前記中空軸部を、前記コネクタ部の軸孔内に枢設して、ケーブル座体に回動機能が形成され、前記ケーブルのコネクタ部に対して延びる方向を調整する。　　
【考案の効果】
【０００６】
　本考案の回動式ネットワークケーブルコネクタによれば、以下の効果が得られる。
1.　配線上の必要に応じ、コネクタ端子に対しケーブル座体を回動させることにより、コネクタの挿入方向を任意に調整することができ、コネクタの利便性を向上するだけでなく、配線上の方向制限を克服することができる。
2.　配線上の必要性のために、コネクタとケーブルに捻りや彎曲が加えられたために発生する、コネクタとケーブルの使用品質への影響を排除することができる。
3.　前述の第二点に伴い、本考案によれば、コネクタ端子とケーブルの捻りや彎曲を完全に排除できるため、コネクタ内部のケーブル交合箇所に影響を与えず、信号伝送の確実性と安定性を向上することができる。
4.　コネクタに大きな外力が加えられたり、無理に引っ張られたりした場合、本考案のコネクタは、その方向調整機能により、ケーブルの方向を変えることでかかる力を逃がすことができ、接続インターフェースからの脱落防止や変形、破損を防ぐことができる。
5.　本考案のネットワークケーブルコネクタは、方向調整をした後、コネクタ端子部とケーブル座体間を一定位置に位置決め固定する機能を備えており、コネクタとケーブルを一定方向に維持する必要がある場合に対応することができる。
【考案を実施するための最良の形態】
【０００７】
　　以下、本考案の回動式ネットワークケーブルコネクタについて、図面に基づき、詳細に説明する。
【０００８】
　図２に示すように、本考案のネットワークケーブルコネクタは、主に前座体１、コネクタ部２、ケーブル座体３、ケーブル４から成り、そのうち、前記前座体１は、コネクタ部２と圧接により一体化され、且つ、該前座体１の端部に嵌合爪１１及び配線溝１２を設け、さらに、図４に示すように、前記コネクタ部２内部にT字形空間２１を形成し、且つ該T字形空間２１の後方に設けた交合部２２の両側に左右対称の軸孔２３を開設し、前記ケーブル座体３に設けた中空軸部３１を該軸孔２３に回動自在に枢設し、方向調整機能を形成する。
【０００９】
　図３に示すように、前記ケーブル座体３は、内部に分岐式のケーブル槽３２を備え、前記ケーブル４は、該ケーブル座体３の後方端３３から進入後、ケーブル固定部３４により固定され、さらに、該ケーブル座体３は、前記コネクタ部２の交合部２２に対応する凹型接合部３５を備え、該凹型接合部３５の両内側に、前記中空軸部３１をそれぞれ対称に突起させて設け、突起状の該中空軸部３１を、前記コネクタ部２の軸孔２３内に枢設する。これにより、コネクタ部２をコンピュータまたはデジタル機器に挿入して使用するとき、コネクタ部２を動かさずに、ケーブル座体３を上90度、下90度、計180度の範囲内で回動させることができ、図６に示すような、ケーブルの方向調整機能が得られる。
【００１０】
　図５に示すように、前記ケーブル座体３に設置されたケーブル４は、前記ケーブル固定部３４により固定されるだけでなく、該ケーブル４の分岐線が前記ケーブル座体３の中空軸部３１を貫通して、前記コネクタ部２内部のT字形空間２１内に進入し、さらに、前記前座体１に分線接続され、該前座体１の配線溝１２に接続機能を形成する。このため、ケーブル４は、コネクタの方向調整実施時において全く影響を受けず、その品質と使用寿命を維持することができる。
【００１１】
　さらに、本考案の要旨を逸脱しないことを原則とし、前記コネクタ部２とケーブル座体３の両者間に、複数の位置決め突起と該位置決め突起に対応する位置決め穴を設置し、回動後のケーブル座体３を位置決めし、コネクタ部２とケーブル４を一定方向に維持する機能を付加してもよい。
【図面の簡単な説明】
【００１２】
【図１】従来の通信ネットワークケーブルコネクタの立体外観斜視図である。
【図２】本考案の最良の実施例を示す立体外観斜視図である。
【図３】本考案のケーブル座体の透視図である。
【図４】本考案のコネクタ部の透視図である。
【図５】本考案の組立て後の状態を示す側面透視図及び内部配線を示す透視図である。
【図６】本考案の方向調整機能を示す動作模式図である。
【符号の説明】
【００１３】
１　　　前座体
１１　　嵌合爪
１２　　配線溝
２　　　コネクタ部
２１　　T字形空間
２２　　交合部
２３　　軸孔
３　　　ケーブル座体
３１　　中空軸部
３２　　ケーブル槽
３３　　後方端
３４　　ケーブル固定部
３５ 凹型接合部
４　　　ケーブル
【図１】
0003100578.tif 000003
【図２】
0003100578.tif 000004
【図３】
0003100578.tif 000005
【図４】
0003100578.tif 000006
【図５】
0003100578.tif 000007
【図６】
0003100578.tif 000008